(57)【要約】【課題】ＣＤ−Ｒディスクにおいて、ピットとランドの間のエッジをシャープに形成し、またはピットの長さを正確に形成するＣＤ−Ｒディスクの記録装置および記録方法を提供する。【解決手段】ＣＤ−Ｒディスクに書込むＥＦＭ信号のパルスの先端の１Ｔの期間、またはＥＦＭ信号のパルスの後端の１Ｔの期間において、ＥＦＭ信号のパルスの残りの部分の期間に与えるよりも大きなパワーのレーザ光を断続的または周期的に照射する。【選択図】        図４
2004227634.tif 000002
【特許請求の範囲】
【請求項１】
ＣＤ−Ｒ（Ｃｏｍｐａｃｔ  Ｄｉｓｋ  Ｒｅｃｏｒｄａｂｌｅ）ディスクへの記録時に、第１の論理値をとる第１の制御信号を生成し、ＣＤ−Ｒディスクへ書込む信号のパルスの幅に相当する期間だけ第２の論理値をとる第２の制御信号を生成し、前記パルスの先端の所定部分に相当する期間、および前記パルスの後端の所定部分に相当する期間において、第３の論理値および第４の論理値を周期的に変化してとり、前記パルスの残りの部分に相当する期間において、前記第４の論理値をとる第３の制御信号を生成する制御部と、
第１の電流を出力する第１の定電流源と、第２の電流を出力する第２の定電流源と、第３の電流を出力する第３の定電流源と、前記第１の定電流源と接続され、前記第１の制御信号が前記第１の論理値をとるときに、前記第１の電流を通す第１のスイッチと、前記第２の定電流源と接続され、前記第２の制御信号が前記第２の論理値をとるときに、前記第２の電流を通す第２のスイッチと、前記第３の定電流源と接続され、前記第３の制御信号が前記第３の論理値をとるときに、前記第３の電流を通す第３のスイッチとを含み、前記第１のスイッチ、前記第２のスイッチ、および前記第３のスイッチとが共通接続されて、当該接続点から前記各スイッチからの電流の総和を出力するレーザ駆動部と、
前記レーザ駆動部からの出力電流の大きさに比例したパワーのレーザ光をＣＤ−Ｒディスクの記録面に照射する半導体レーザとを備えたＣＤ−Ｒディスクの記録装置。
【請求項２】
ＣＤ−Ｒ（Ｃｏｍｐａｃｔ  Ｄｉｓｋ  Ｒｅｃｏｒｄａｂｌｅ）ディスクへの記録時に、第１の論理値をとる第１の制御信号を生成し、ＣＤ−Ｒディスクへ書込む信号のパルスの幅に相当する期間だけ第２の論理値をとる第２の制御信号を生成し、前記パルスの先端の所定部分に相当する期間において、第３の論理値および第４の論理値を周期的に変化してとり、前記パルスの残りの部分に相当する期間において、前記第４の論理値をとる第３の制御信号を生成する制御部と、
第１の電流を出力する第１の定電流源と、第２の電流を出力する第２の定電流源と、第３の電流を出力する第３の定電流源と、前記第１の定電流源と接続され、前記第１の制御信号が前記第１の論理値をとるときに、前記第１の電流を通す第１のスイッチと、前記第２の定電流源と接続され、前記第２の制御信号が前記第２の論理値をとるときに、前記第２の電流を通す第２のスイッチと、前記第３の定電流源と接続され、前記第３の制御信号が前記第３の論理値をとるときに、前記第３の電流を通す第３のスイッチとを含み、前記第１のスイッチ、前記第２のスイッチ、および前記第３のスイッチとが共通接続されて、当該接続点から前記各スイッチからの電流の総和を出力するレーザ駆動部と、
前記レーザ駆動部からの出力電流の大きさに比例したパワーのレーザ光をＣＤ−Ｒディスクの記録面に照射する半導体レーザとを備えたＣＤ−Ｒディスクの記録装置。
【請求項３】
ＣＤ−Ｒ（Ｃｏｍｐａｃｔ  Ｄｉｓｋ  Ｒｅｃｏｒｄａｂｌｅ）ディスクへの記録時に、第１の論理値をとる第１の制御信号を生成し、ＣＤ−Ｒディスクへ書込む信号のパルスの幅に相当する期間だけ第２の論理値をとる第２の制御信号を生成し、前記パルスの後端の所定部分に相当する期間において、第３の論理値および第４の論理値を周期的に変化してとり、前記パルスの残りの部分に相当する期間において、前記第４の論理値をとる第３の制御信号を生成する制御部と、
第１の電流を出力する第１の定電流源と、第２の電流を出力する第２の定電流源と、第３の電流を出力する第３の定電流源と、前記第１の定電流源と接続され、前記第１の制御信号が前記第１の論理値をとるときに、前記第１の電流を通す第１のスイッチと、前記第２の定電流源と接続され、前記第２の制御信号が前記第２の論理値をとるときに、前記第２の電流を通す第２のスイッチと、前記第３の定電流源と接続され、前記第３の制御信号が前記第３の論理値をとるときに、前記第３の電流を通す第３のスイッチとを含み、前記第１のスイッチ、前記第２のスイッチ、および前記第３のスイッチとが共通接続されて、当該接続点から前記各スイッチからの電流の総和を出力するレーザ駆動部と、
前記レーザ駆動部からの出力電流の大きさに比例したパワーのレーザ光をＣＤ−Ｒディスクの記録面に照射する半導体レーザとを備えたＣＤ−Ｒディスクの記録装置。
【請求項４】
ＣＤ−Ｒ（Ｃｏｍｐａｃｔ  Ｄｉｓｋ  Ｒｅｃｏｒｄａｂｌｅ）ディスクに書込む信号のパルスの先端の所定部分に相当する期間、および前記パルスの後端の所定部分に相当する期間において、前記パルスの残りの部分に相当する期間に与えるよりも大きなパワーのレーザ光を断続的に照射するＣＤ−Ｒディスクの記録方法。
【請求項５】
ＣＤ−Ｒ（Ｃｏｍｐａｃｔ  Ｄｉｓｋ  Ｒｅｃｏｒｄａｂｌｅ）ディスクに書込む信号のパルスの先端の所定部分に相当する期間において、前記パルスの残りの部分に相当する期間に与えるよりも大きなパワーのレーザ光を断続的に照射するＣＤ−Ｒディスクの記録方法。
【請求項６】
ＣＤ−Ｒ（Ｃｏｍｐａｃｔ  Ｄｉｓｋ  Ｒｅｃｏｒｄａｂｌｅ）ディスクに書込む信号のパルスの後端の所定部分に相当する期間において、前記パルスの残りの部分に相当する期間に与えるよりも大きなパワーのレーザ光を断続的に照射するＣＤ−Ｒディスクの記録方法。
【発明の詳細な説明】
【０００１】
【発明の属する技術分野】
本発明は、ＣＤ−Ｒ（Ｃｏｍｐａｃｔ  Ｄｉｓｋ  Ｒｅｃｏｒｄａｂｌｅ）ディスクの記録装置および記録方法に関する。
【０００２】
【従来の技術】
従来から、データの追記が可能な情報記録媒体として、ＣＤ−Ｒディスクが実用に供用されている。
【０００３】
このＣＤ−Ｒディスクでは、基板上には、有機色素の記録層が形成されている。この有機色素は、レーザの熱によって融解し、穴状の記録マーク（ピット、凹部分）が形成される。
【０００４】
ＣＤ−Ｒディスクの記録装置では、ピットとランド（凸部分）とをそれぞれ連続させないような特殊な変調方式であるＥＦＭ（Ｅｉｇｈｔ  ｔｏ  Ｆｏｕｒｔｅｅｎ  Ｍｏｄｅｕｌａｔｉｏｎ）変調が施される。ＥＦＭ変調は、８ビットの信号を１４ビットに変換し、さらに、０と１が平均的に出現するように、３ビットを付加して１７ビットのＥＦＭ信号を生成する。ＥＦＭ信号のうちの１４ビットをチャンネルビットという。図５に示すように、チャンネルビットの１が連続する期間（パルス幅）は、３Ｔから１１Ｔまでの９種類ある。ここで、Ｔは１ビットの間隔で、約２３０ｎｓである。
【０００５】
ところで、このＥＦＭ信号がそのままＣＤ−Ｒディスクに記録された場合には、熱干渉により、ピットとランドの間のエッジが鈍くなったり、ピットの後端部が膨らんで涙滴形状になって、ピットの後端の位置がずれてピットの長さが変化してしまう。
【０００６】
そこで、従来から様々なパルスストラテジーが提案されている。ここで、パルスストラテジーとは、記録時におけるレーザパワーの制御のことをいう。ＣＤ−ＲＷにおいては、たとえば、特許文献１に示されるように、記録層が結晶状態または非結晶状態の相変化材料でできており、オーバーライト用のパルスストラテジーであるマルチパルス発光方式が採用されている。
【０００７】
ＣＤ−Ｒディスクでは、記録層が有機色素でできており、オーバーライトを行なうものではないので、このようなＣＤ−ＲＷ用のパルスストラテジーは不向きで、ＣＤ−Ｒディスクに適した次のようなパルスストラテジーが採用されている。
【０００８】
図６（ａ）は、３ＴのＥＦＭ信号をＣＤ−Ｒディスクに書込むときの、ＣＤ−Ｒのパルスストラテジーの一例であるパワードを示す。同図に示すように、パワードでは、立ち上りエッジを鋭くするため、パルスの立ち上りから１Ｔの期間だけ、他の部分よりも大きいパワーのレーザを照射する。
【０００９】
図６（ｂ）は、３ＴのＥＦＭ信号をＣＤ−Ｒディスクに書込むときの、ＣＤ−Ｒのパルスストラテジーの一例であるディレイドを示す。同図に示すように、ディレイドでは、ピットの後端部でピットの後端の位置を正確にするために、パルスの立ち下がりをα（たとえば、０．２Ｔ）だけ遅らせている。
【００１０】
【特許文献１】
特開平０９−１１５１４１号公報
【００１１】
【発明が解決しようとする課題】
しかしながら、上述のような、パワード、またはディレイドのようなパルスストラテジーでは、ピットとランドの間のエッジが鈍くなったり、ピットの後端の位置がずれてピットの長さが変化してしまうという問題はそれほど改善されない。これは、余分の熱を一時に集中して与えてしまうことによるものである。
【００１２】
そこで、本発明は、ＣＤ−Ｒディスクにおけるピットとランドの間のエッジを従来よりもシャープに形成し、または従来よりも正確な長さのピットを形成するＣＤ−Ｒディスクの記録装置および記録方法を提供することを目的とする。
【００１３】
【課題を解決するための手段】
上記課題を解決するために、本発明に係るＣＤ−Ｒ（Ｃｏｍｐａｃｔ  Ｄｉｓｋ  Ｒｅｃｏｒｄａｂｌｅ）ディスクの記録装置は、ＣＤ−Ｒディスクへの記録時に、第１の論理値をとる第１の制御信号を生成し、ＣＤ−Ｒディスクへ書込む信号のパルスの幅に相当する期間だけ第２の論理値をとる第２の制御信号を生成し、前記パルスの先端の所定部分に相当する期間、および前記パルスの後端の所定部分に相当する期間において、第３の論理値および第４の論理値を周期的に変化させてとり、前記パルスの残りの部分に相当する期間において、前記第４の論理値をとる第３の制御信号を生成する制御部と、第１の電流を出力する第１の定電流源と、第２の電流を出力する第２の定電流源と、第３の電流を出力する第３の定電流源と、前記第１の定電流源と接続され、前記第１の制御信号が前記第１の論理値をとるときに、前記第１の電流を通す第１のスイッチと、前記第２の定電流源と接続され、前記第２の制御信号が前記第２の論理値をとるときに、前記第２の電流を通す第２のスイッチと、前記第３の定電流源と接続され、前記第３の制御信号が前記第３の論理値をとるときに、前記第３の電流を通す第３のスイッチとを含み、前記第１のスイッチ、前記第２のスイッチ、および前記第３のスイッチとが共通接続されて、当該接続点から前記各スイッチからの電流の総和を出力するレーザ駆動部と、前記レーザ駆動部からの出力電流の大きさに比例したパワーのレーザ光をＣＤ−Ｒディスクの記録面に照射する半導体レーザとを備える。
【００１４】
また、本発明に係るＣＤ−Ｒ（Ｃｏｍｐａｃｔ  Ｄｉｓｋ  Ｒｅｃｏｒｄａｂｌｅ）ディスクの記録装置は、ＣＤ−Ｒディスクへの記録時に、第１の論理値をとる第１の制御信号を生成し、ＣＤ−Ｒディスクへ書込む信号のパルスの幅に相当する期間だけ第２の論理値をとる第２の制御信号を生成し、前記パルスの先端の所定部分に相当する期間において、第３の論理値および第４の論理値を周期的に変化させてとり、前記パルスの残りの部分に相当する期間において、前記第４の論理値をとる第３の制御信号を生成する制御部と、第１の電流を出力する第１の定電流源と、第２の電流を出力する第２の定電流源と、第３の電流を出力する第３の定電流源と、前記第１の定電流源と接続され、前記第１の制御信号が前記第１の論理値をとるときに、前記第１の電流を通す第１のスイッチと、前記第２の定電流源と接続され、前記第２の制御信号が前記第２の論理値をとるときに、前記第２の電流を通す第２のスイッチと、前記第３の定電流源と接続され、前記第３の制御信号が前記第３の論理値をとるときに、前記第３の電流を通す第３のスイッチとを含み、前記第１のスイッチ、前記第２のスイッチ、および前記第３のスイッチとが共通接続されて、当該接続点から前記各スイッチからの電流の総和を出力するレーザ駆動部と、前記レーザ駆動部からの出力電流の大きさに比例したパワーのレーザ光をＣＤ−Ｒディスクの記録面に照射する半導体レーザとを備える。
【００１５】
また、本発明に係るＣＤ−Ｒ（Ｃｏｍｐａｃｔ  Ｄｉｓｋ  Ｒｅｃｏｒｄａｂｌｅ）ディスクの記録装置は、ＣＤ−Ｒディスクへの記録時に、第１の論理値をとる第１の制御信号を生成し、ＣＤ−Ｒディスクへ書込む信号のパルスの幅に相当する期間だけ第２の論理値をとる第２の制御信号を生成し、前記パルスの後端の所定部分に相当する期間において、第３の論理値および第４の論理値を周期的に変化させてとり、前記パルスの残りの部分に相当する期間において、前記第４の論理値をとる第３の制御信号を生成する制御部と、第１の電流を出力する第１の定電流源と、第２の電流を出力する第２の定電流源と、第３の電流を出力する第３の定電流源と、前記第１の定電流源と接続され、前記第１の制御信号が前記第１の論理値をとるときに、前記第１の電流を通す第１のスイッチと、前記第２の定電流源と接続され、前記第２の制御信号が前記第２の論理値をとるときに、前記第２の電流を通す第２のスイッチと、前記第３の定電流源と接続され、前記第３の制御信号が前記第３の論理値をとるときに、前記第３の電流を通す第３のスイッチとを含み、前記第１のスイッチ、前記第２のスイッチ、および前記第３のスイッチとが共通接続されて、当該接続点から前記各スイッチからの電流の総和を出力するレーザ駆動部と、前記レーザ駆動部からの出力電流の大きさに比例したパワーのレーザ光をＣＤ−Ｒディスクの記録面に照射する半導体レーザとを備える。
【００１６】
また、本発明に係るＣＤ−Ｒ（Ｃｏｍｐａｃｔ  Ｄｉｓｋ  Ｒｅｃｏｒｄａｂｌｅ）ディスクの記録方法は、ＣＤ−Ｒディスクに書込む信号のパルスの先端の所定部分に相当する期間、および前記パルスの後端の所定部分に相当する期間において、前記パルスの残りの部分に相当する期間に与えるよりも大きなパワーのレーザ光を断続的に照射する。
【００１７】
また、本発明に係るＣＤ−Ｒ（Ｃｏｍｐａｃｔ  Ｄｉｓｋ  Ｒｅｃｏｒｄａｂｌｅ）ディスクの記録方法は、ＣＤ−Ｒディスクに書込む信号のパルスの先端の所定部分に相当する期間において、前記パルスの残りの部分に相当する期間に与えるよりも大きなパワーのレーザ光を断続的に照射する。
【００１８】
また、本発明に係るＣＤ−Ｒ（Ｃｏｍｐａｃｔ  Ｄｉｓｋ  Ｒｅｃｏｒｄａｂｌｅ）ディスクの記録方法は、ＣＤ−Ｒディスクに書込む信号のパルスの後端の所定部分に相当する期間において、前記パルスの残りの部分に相当する期間に与えるよりも大きなパワーのレーザ光を断続的に照射する。
【００１９】
以上のように、本発明に係るＣＤ−Ｒディスクの記録装置および記録方法によれば、ＣＤ−Ｒディスクにおいてピットとランドの間のエッジをシャープに形成し、または正確な長さのピットを形成することができる。
【００２０】
【発明の実施の形態】
以下、本発明の実施の形態について、図面を用いて説明する。
【００２１】
図１は、この発明の実施の形態による記録装置の構成を示す。同図を参照して、この記録装置は、スピンドルモータ１２と、スピンドルサーボ回路１３と、スレッドモータ１４と、スレッドサーボ回路１５と、光ピックアップ２０と、フォーカスサーボ回路１６と、トラッキングサーボ回路１７と、レーザ駆動部１８と、記録パルス生成回路１９と、記録回路３０と、再生回路３１とを含む。
【００２２】
スピンドルモータ１２は、ＣＤ−Ｒディスク１１を所定の速度で回転駆動する。
【００２３】
スピンドルサーボ回路１３は、スピンドルモータ１２の回転数を制御する。
光ピックアップ２０は、光学系２２と駆動系２１とを含む。
【００２４】
光学系２２は、半導体レーザ（Ｌａｓｅｒ  Ｄｉｏｄｅ：ＬＤ）２３と、図示しないレンズ類（カップリングレンズ、集光レンズ、対物レンズ）と、図示しないプリズム類（ビームスプリッタ）と、図示しない１／４波長板と、図示しないフォトダイオードとから構成される。光学系２２は、半導体レーザ２３からのレーザ光を集光して、ＣＤ−Ｒディスクの記録面の目的の位置に照射することによって、記録を行なう。また、光学系２２は、このようにして照射したレーザ光の反射光を電気信号に変換することで、ＣＤ−Ｒディスクの記録面のデータを読取る。また、光学系２２は、対物レンズのトラッキング方向のずれ（光ディスクの半径方向のずれ）を示すトラッキングエラー信号と、対物レンズのフォーカス方向のずれ（レーザ光の光軸のずれ）を示すフォーカスエラー信号を出力する。
【００２５】
駆動系２１は、図示は省略するが、マグネット、コイル、および支持部材から構成される。駆動系２１は、フォーカスサーボ回路１６およびトラッキングサーボ回路１７による制御によって、対物レンズのトラッキング方向のずれ、およびフォーカス方向のずれがなくなるように対物レンズを駆動することで、ＣＤ−Ｒディスクの記録面にレーザ光が照射される位置を一定に保つ。
【００２６】
スレッドモータ１４は、光ピックアップ２０をＣＤ−Ｒディスク１１の任意の位置に移動させる。
【００２７】
スレッドサーボ回路１５は、スレッドモータ１４を制御する。
フォーカスサーボ回路１６は、光学系２２から出力されるフォーカスエラー信号に基づいて、駆動系２１を制御して、対物レンズをフォーカス方向に駆動させる。。
【００２８】
トラッキングサーボ回路１７は、光学系２２から出力されるトラッキングエラー信号に基づいて、駆動系２１を制御して、対物レンズをトラッキング方向に駆動させる。
【００２９】
再生回路３１は、光ピックアップ２０から読取った信号を増幅した後、ＥＦＭ復調して再生信号を生成して、パソコンなどの外部へ出力する。
【００３０】
記録回路３０は、パソコンなどの外部より与えられた記録信号をＥＦＭ変調して、記録パルス生成回路１９に送る。
【００３１】
記録パルス生成回路１９は、記録回路３０から送られたＥＦＭ信号に基づいて、制御信号ＲＰ１、ＷＰ２、およびＷＰ３を生成してレーザ駆動部１８へ出力する。
【００３２】
すなわち、記録パルス生成回路１９は、図２（ａ）に示すように、記録時には、常に「Ｈ」レベルをとる制御信号ＲＰ１を出力する。
【００３３】
また、記録パルス生成回路１９は、図２（ｂ）に示すように、ＥＦＭ信号のパルス幅に相当する期間だけ、「Ｈ」レベルをとる制御信号ＷＰ２を出力する。
【００３４】
また、記録パルス生成回路１９は、図２（ｃ）に示すように、ＥＦＭ信号のパルスの先端の１Ｔの期間と後端の１Ｔの期間とにおいて、一定の周期で「Ｈ」レベルと「Ｌ」レベルとを変化させてとり、ＥＦＭ信号のパルスの残りの期間において、「Ｌ」レベルをとる制御信号ＷＰ３を出力する。ここで、先端とは、時間的に先に書込まれる部分で、後端とは、時間的に後で書込まれる部分をいう。
【００３５】
図３は、レーザ駆動部１８の詳細な構成を示す。レーザ駆動部１８は、定電流源４１，４２，４３と、スイッチＳＷ１，ＳＷ２，ＳＷ３とを含む。
【００３６】
定電流源４１は、電流Ｉｒを出力し、定電流源４２は、電流Ｉｗを出力し、定電流源４３は、電流Ｉｃを出力する。
【００３７】
スイッチＳＷ１は、定電流源４１と接続し、制御信号ＲＰ１が「Ｈ」のときに導通して電流Ｉｒを通す。
【００３８】
スイッチＳＷ２は、定電流源４２と接続し、制御信号ＷＰ２が「Ｈ」のときに導通して電流Ｉｗを通す。
【００３９】
スイッチＳＷ３は、定電流源４３と接続し、制御信号ＷＰ３が「Ｈ」のときに導通して電流Ｉｃを通す。
【００４０】
スイッチＳＷ１、ＳＷ２、およびＳＷ３は、共通接続されて、これらのスイッチＳＷ１，ＳＷ２，ＳＷ３からの電流の総和が駆動電流として、光ピックアップ２０のＬＤ２３に送られる。
【００４１】
半導体レーザ２３は、この駆動電流の大きさに比例したパワーのレーザ光を射出する。このレーザ光は、レンズ類を介して、ＣＤ−Ｒディスク１１の記録面に照射される。記録パルス生成回路１９において、図２に示すような制御信号ＲＰ１、ＷＰ２、およびＷＰ３が生成された場合には、レーザ光のパワーは、図４に示すものとなる。
【００４２】
同図において、リードパワーＰｒは、電流Ｉｒによって出力されるレーザ光のパワーであって、ＣＤ−Ｒディスクから信号を読出すときのパワーと同一のパワーである。ライトパワーＰｗは、電流Ｉｗによって出力されるレーザ光のパワーであって、ＣＤ−Ｒディスクに信号を書込みときに付加される通常のパワーである。キャリブレーションパワーＰｃは、電流Ｉｃによって出力されるレーザ光のパワーであって、本実施の形態特有のパワーである。
【００４３】
リードパワーＰｒと、ライトパワーＰｗと、キャリブレーションパワーＰｃとの和のパワーをもつレーザ光がＣＤ−Ｒディスク１１に照射される。
【００４４】
以上のように本実施の形態に係る記録装置によれば、ＥＦＭ信号のパルスの先端の１Ｔの期間において、パルスの残りの部分に相当する期間に与えるよりも大きなパワーのレーザ光を周期的に照射することによって、余分の熱が一時に集中して与えられないようにしたので、ＣＤ−Ｒディスクにおけるピットとランドの間のエッジをシャープに形成することができる。
【００４５】
また、ＥＦＭ信号のパルスの後端の１Ｔに相当する期間において、パルスの残りの部分に相当する期間に与えるよりも大きなパワーのレーザ光を周期的に照射することによって、余分の熱が一時に集中して与えられないようにしたので、ＣＤ−Ｒディスクにおいて正確な長さのピットを形成することができる。
【００４６】
なお、本実施の形態では、キャリブレーションパワーは、周期的に与えられるものとしたが、これに限定されるものでない。余分の熱を一時に集中して与えなければ、周期的でなくても、単に断続して与えるものとしてもよい。
【００４７】
たとえば、キャリブレーションパワーを最初の０．２Ｔの期間に与えて、次の０．３Ｔの期間に与えず、次の０．１Ｔの期間に与えて、次の０．０５Ｔの期間に与えず、次の０．３Ｔの期間に与えて、次の０．１Ｔの期間に与えずというような与え方であってもよい。
【００４８】
また、キャリブレーションパワーを与える周期は、固定したものでなくて、可変で調整できるものであってもよい。
【００４９】
また、キャリブレーションパワーを先端の一部の１Ｔおよび後端の一部の１Ｔに与えるものとしたが、これに限定するものではなく、先端の一部の１Ｔにだけ、あるいは後端の一部の１Ｔにだけ与えるものであってもよい。さらに、先端の一部および後端の一部は、１Ｔに限定されるものではない。その他の時間幅であってもよく、この時間幅も可変で調整できるものであってもよい。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５１】
【発明の効果】
この発明に係わるＣＤ−Ｒディスクの記録装置および記録方法によれば、書込むべき信号のパルスの先端の所定部分に相当する期間において、前記パルスの残りの部分に相当する期間に与えるよりも大きなパワーのレーザ光を断続的または周期的に照射するので、余分の熱が一時に集中して与えられないようにすることができ、ＣＤ−Ｒディスクにおけるピットとランドの間のエッジをシャープに形成することができる。
【００５２】
また、書込むべきパルスの後端の所定部分に相当する期間において、前記パルスの残りの部分に相当する期間に与えるよりも大きなパワーのレーザ光を断続的または周期的に照射するので、余分の熱が一時に集中して与えられないようにすることができ、ＣＤ−Ｒディスクにおいて正確な長さのピットを形成することができる。
【図面の簡単な説明】
【図１】記録装置の構成を示す図である。
【図２】（ａ）は、制御信号ＲＰ１を示す図であり、（ｂ）は、制御信号ＷＰ２を示し、（ｃ）は、制御信号ＷＰ３を示す図である。
【図３】レーザ駆動部１８の構成を示す図である。
【図４】レーザのパワーを示す図である。
【図５】ＥＦＭ信号のを示す図である。
【図６】（ａ）は、ＣＤ−Ｒのパルスストラテジーの一例であるパワードを示し、（ｂ）は、ＣＤ−Ｒのパルスストラテジーの一例であるディレイドを示す図である。
【符号の説明】
１１  ＣＤ−Ｒディスク、１２  スピンドルモータ、１３  スピンドルサーボ回路、１４  スレッドモータ、１５  スレッドサーボ回路、１６  フォーカスサーボ回路、１７  トラッキングサーボ回路、１８  レーザ駆動部、１９  記録パルス生成回路、２０  光ピックアップ、２１  光学系、２２  駆動系、２３  半導体レーザ、３０  記録回路、３１  再生回路、４１，４２，４３  定電流源、ＳＷ１，ＳＷ２，ＳＷ３  スイッチ。
【図１】
2004227634.tif 000003
【図２】
2004227634.tif 000004
【図３】
2004227634.tif 000005
【図４】
2004227634.tif 000006
【図５】
2004227634.tif 000007
【図６】
2004227634.tif 000008